【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
ワイヤレス通信ネットワークを介して通信する方法であって、
第１の仕様に従ってメッセージの送信のための総帯域幅を決定することと、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、ここにおいて、前記複数の使用可能なトーンを前記複数のリソースユニットに論理的に分割することが、いずれのリソースユニット内にもない前記複数のトーン内のある数のトーンをセンターブロック、左センターブロック、および右センターブロックのうちの１つまたは複数に割り振ることを備える、
表示を決定することと、前記表示が、前記複数のリソースユニットのうちの少なくとも２つを複数のワイヤレス通信デバイスのうちの１つのワイヤレス通信デバイスに割り当て、チャネルボンディングする、ここにおいて、前記表示が、前記第２の仕様に従って前記送信によって占有される前記総帯域幅の前記一部を割り当てない、ここにおいて、前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、
前記複数のワイヤレス通信デバイスに前記表示を送信することとを特徴とする、方法。
【請求項２】
前記第１の仕様が電気電子技術者協会（ＩＥＥＥ）８０２．１１ａｘ仕様を備え、前記第２の仕様が異なるＩＥＥＥ８０２．１１仕様を備える、請求項１に記載の方法。
【請求項３】
前記複数のトーンを前記論理的に分割することが、物理的２０ＭＨｚおよび／または４０ＭＨｚ境界を維持するのに十分なガードトーンを割り当てることを備える、請求項１に記載の方法。
【請求項４】
前記複数のトーンを前記論理的に分割することが、２０ＭＨｚおよび／または４０ＭＨｚ境界において１１個の直流トーンまたはガードトーンを割り当てることを備える、請求項１に記載の方法。
【請求項５】
前記複数の使用可能なトーンを前記論理的に分割することが、物理的２０ＭＨｚおよび／または４０ＭＨｚ境界を維持するリソースユニットを割り当てることを備える、請求項１に記載の方法。
【請求項６】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項１に記載の方法。
【請求項７】
前記センターブロック、前記左センターブロック、および前記右センターブロックのうちの１つまたは複数からのトーンがチャネル制御のために使用される、請求項１に記載の方法。
【請求項８】
ワイヤレス通信のための装置であって、
第１の仕様に従ってメッセージの送信のための総帯域幅を決定するための手段と、前記総帯域幅が複数のトーンを備える、ここにおいて、前記総帯域幅の一部が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割するための手段と、
前記複数の使用可能なトーンを複数のリソースユニットに論理的に分割するための手段と、ここにおいて、前記複数の使用可能なトーンを前記複数のリソースユニットに論理的に分割するための手段が、いずれのリソースユニット内にもない前記複数のトーン内のある数のトーンをセンターブロック、左センターブロック、および右センターブロックのうちの１つまたは複数に割り振るための手段を備える、
表示を決定するための手段と、前記表示が、前記複数のリソースユニットのうちの少なくとも２つを複数のワイヤレス通信デバイスのうちの一つのワイヤレス通信デバイスに割り当て、チャネルボンディングする、ここにおいて、前記表示が、前記第２の仕様に従って前記送信によって占有される前記総帯域幅の前記一部を割り当てない、ここにおいて、前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、
前記複数のワイヤレス通信デバイスに前記表示を送信するための手段とを特徴とする、装置。
【請求項９】
前記第１の仕様が米国電気電子技術者協会（ＩＥＥＥ）８０２．１１ａｘ仕様を備え、前記第２の仕様が異なるＩＥＥＥ８０２．１１仕様を備える、請求項８に記載の装置。
【請求項１０】
前記複数のトーンを論理的に分割するための手段が、物理的２０ＭＨｚおよび／または４０ＭＨｚ境界を維持するのに十分なガードトーンを割り当てるための手段を備える、請求項８に記載の装置。
【請求項１１】
前記複数のトーンを論理的に分割するための手段が、２０ＭＨｚおよび／または４０ＭＨｚ境界において１１個の直流トーンまたはガードトーンを割り当てるための手段を備える、請求項８に記載の装置。
【請求項１２】
前記複数の使用可能なトーンを論理的に分割するための手段が、物理的２０ＭＨｚおよび／または４０ＭＨｚ境界を維持するリソースユニットを割り当てるための手段を備える、請求項８に記載の装置。
【請求項１３】
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、請求項８に記載の装置。
【請求項１４】
前記センターブロック、前記左センターブロック、および前記右センターブロックのうちの１つまたは複数からのトーンがチャネル制御のために使用される、請求項８に記載の装置。
【請求項１５】
プロセッサによって実行されたとき、請求項１−７のうちのいずれか一項にしたがった方法を実行するための命令を備えるコンピュータプログラム。
【手続補正２】
【補正対象書類名】明細書
【補正対象項目名】０１１６
【補正方法】変更
【補正の内容】
【０１１６】
[00148]上記は本開示の態様を対象とするが、それの基本的範囲から逸脱することなく本開示の他の態様およびさらなる態様が考案され得、それの範囲は以下の特許請求の範囲によって決定される。
以下に本願の出願当初の特許請求の範囲に記載された発明を付記する。
［Ｃ１］
ワイヤレス通信ネットワークを介して通信する方法であって、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信することとを備える、方法。
［Ｃ２］
前記第１の仕様が電気電子技術者協会（ＩＥＥＥ）８０２．１１ａｘ仕様を備え、前記第２の仕様が異なるＩＥＥＥ８０２．１１仕様を備える、Ｃ１に記載の方法。
［Ｃ３］
前記複数のトーンを前記論理的に分割することが、物理的２０ＭＨｚおよび／または４０ＭＨｚ境界を維持するのに十分なガードトーンを割り当てることを備える、Ｃ１に記載の方法。
［Ｃ４］
前記複数のトーンを前記論理的に分割することが、２０ＭＨｚおよび／または４０ＭＨｚ境界において１１個の直流トーンまたはガードトーンを割り当てることを備える、Ｃ１に記載の方法。
［Ｃ５］
前記複数の使用可能なトーンを前記論理的に分割することが、物理的２０ＭＨｚおよび／または４０ＭＨｚ境界を維持するリソースユニットを割り当てることを備える、Ｃ１に記載の方法。
［Ｃ６］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１に記載の方法。
［Ｃ７］
前記複数の使用可能なトーンを前記複数のリソースユニットに論理的に分割することが、いずれのリソースユニット内にもない前記複数のトーン内のトーンの個数をセンターブロック、左センターブロック、および右センターブロックのうちの１つまたは複数に割り振ることを備える、Ｃ１に記載の方法。
［Ｃ８］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ７に記載の方法。
［Ｃ９］
前記センターブロック、前記左センターブロック、および前記右センターブロックのうちの１つまたは複数からのトーンがチャネル制御のために使用される、Ｃ７に記載の方法。
［Ｃ１０］
ワイヤレス通信のための装置であって、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない
を行うように構成された処理システムと、
前記複数のワイヤレス通信デバイスに前記表示を送信するように構成された送信機とを備える、装置。
［Ｃ１１］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ１０に記載の装置。
［Ｃ１２］
前記処理システムが、物理的２０ＭＨｚおよび／または４０ＭＨｚ境界を維持するのに十分なガードトーンを割り当てることによって、前記複数のトーンを論理的に分割するように構成される、Ｃ１０に記載の装置。
［Ｃ１３］
前記処理システムが、物理的２０ＭＨｚおよび／または４０ＭＨｚ境界において１１個の直流トーンまたはガードトーンを割り当てることによって、前記複数のトーンを論理的に分割するように構成される、Ｃ１０に記載の装置。
［Ｃ１４］
前記処理システムが、物理的２０ＭＨｚおよび／または４０ＭＨｚ境界を維持するリソースユニットを割り当てることによって、前記複数の使用可能なトーンを論理的に分割するように構成される、Ｃ１０に記載の装置。
［Ｃ１５］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１０に記載の装置。
［Ｃ１６］
前記処理システムが、いずれのリソースユニット内にもない前記複数のトーン内のトーンの個数をセンターブロック、左センターブロック、および右センターブロックのうちの１つまたは複数に割り振ることによって、前記複数の使用可能なトーンを複数のリソースユニットに論理的に分割するように構成される、Ｃ１０に記載の装置。
［Ｃ１７］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ１６に記載の装置。
［Ｃ１８］
前記センターブロック、前記左センターブロック、および前記右センターブロックのうちの１つまたは複数からのトーンがチャネル制御のために使用される、Ｃ１６に記載の装置。
［Ｃ１９］
ワイヤレス通信のための装置であって、
第１の仕様に従ってメッセージの送信のための総帯域幅を決定するための手段と、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割するための手段と、
前記複数の使用可能なトーンを複数のリソースユニットに論理的に分割するための手段と、
表示を決定するための手段と、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信するための手段とを備える、装置。
［Ｃ２０］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ１９に記載の装置。
［Ｃ２１］
前記複数のトーンを論理的に分割するための手段が、物理的２０ＭＨｚおよび／または４０ＭＨｚ境界を維持するのに十分なガードトーンを割り当てるための手段を備える、Ｃ１９に記載の装置。
［Ｃ２２］
前記複数のトーンを論理的に分割するための手段が、２０ＭＨｚおよび／または４０ＭＨｚ境界において１１個の直流トーンまたはガードトーンを割り当てるための手段を備える、Ｃ１９に記載の装置。
［Ｃ２３］
前記複数の使用可能なトーンを論理的に分割するための手段が、物理的２０ＭＨｚおよび／または４０ＭＨｚ境界を維持するリソースユニットを割り当てるための手段を備える、Ｃ１９に記載の装置。
［Ｃ２４］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ１９に記載の装置。
［Ｃ２５］
前記複数の使用可能なトーンを前記複数のリソースユニットに論理的に分割するための手段が、いずれのリソースユニット内にもない前記複数のトーン内のトーンの個数をセンターブロック、左センターブロック、および右センターブロックのうちの１つまたは複数に割り振るためのコンプライズミーンズ、Ｃ１９に記載の装置。
［Ｃ２６］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ２５に記載の装置。
［Ｃ２７］
前記センターブロック、前記左センターブロック、および前記右センターブロックのうちの１つまたは複数からのトーンがチャネル制御のために使用される、Ｃ２５に記載の装置。
［Ｃ２８］
実行されると、装置に、
第１の仕様に従ってメッセージの送信のための総帯域幅を決定することと、前記総帯域幅が複数のトーンを備える、ここにおいて、前記総帯域幅の部分が、前記第１の仕様とは異なる第２の仕様に従う送信によって占有される、
前記第２の仕様に従って、少なくとも１つの物理的境界を維持するトーンプランを形成するために、前記複数のトーンを、複数の使用可能なトーンに、ならびに複数のガードトーンおよび複数の直流トーンに論理的に分割することと、
前記複数の使用可能なトーンを複数のリソースユニットに論理的に分割することと、
表示を決定することと、前記表示が、前記複数のリソースユニットのうちの少なくとも２つを複数のワイヤレス通信デバイスのうちのワイヤレス通信デバイスに割り当て、チャネルボンディングする、ここにおいて、前記表示が、前記第２の仕様に従って前記送信によって占有される前記総帯域幅の前記部分を割り当てない、
前記複数のワイヤレス通信デバイスに前記表示を送信することとを行わせるコードを備えた、非一時的コンピュータ可読媒体。
［Ｃ２９］
前記第１の仕様が米国電気電子技術者協会（ＩＥＥＥ）８０２．１１ａｘ仕様を備え、前記第２の仕様が異なるＩＥＥＥ８０２．１１仕様を備える、Ｃ２８に記載の媒体。
［Ｃ３０］
前記複数のトーンを前記論理的に分割することが、物理的２０ＭＨｚおよび／または４０ＭＨｚ境界を維持するのに十分なガードトーンを割り当てることを備える、Ｃ２８に記載の媒体。
［Ｃ３１］
前記複数のトーンを前記論理的に分割することが、２０ＭＨｚおよび／または４０ＭＨｚ境界において１１個の直流トーンまたはガードトーンを割り当てることを備える、Ｃ２８に記載の媒体。
［Ｃ３２］
前記複数の使用可能なトーンを前記論理的に分割することが、物理的２０ＭＨｚおよび／または４０ＭＨｚ境界を維持するリソースユニットを割り当てることを備える、Ｃ２８に記載の媒体。
［Ｃ３３］
前記複数の直流トーンが、８０ＭＨｚ送信において直流トーンとして割り振られたトーンを含み、グループ内の前記トーンが、トーンインデックス−２５６またはトーンインデックス２５６のうちの１つを中心とする、Ｃ２８に記載の媒体。
［Ｃ３４］
前記複数の使用可能なトーンを前記複数のリソースユニットに論理的に分割することが、いずれのリソースユニット内にもない前記複数のトーン内のトーンの個数をセンターブロック、左センターブロック、および右センターブロックのうちの１つまたは複数に割り振ることを備える、Ｃ２８に記載の媒体。
［Ｃ３５］
前記表示が、前記センターブロック、前記左センターブロック、および前記右センターブロックのうちの１つの少なくとも一部を前記複数のワイヤレス通信デバイスのうちの前記ワイヤレス通信デバイスにさらに割り当てる、Ｃ３４に記載の媒体。
［Ｃ３６］
前記センターブロック、前記左センターブロック、および前記右センターブロックのうちの１つまたは複数からのトーンがチャネル制御のために使用される、Ｃ３４に記載の媒体。